(57)【特許請求の範囲】
【請求項１】
券類を投入させる投入口と、
この投入口から投入された券類が重なった状態で通過することを規制する通過規制手段と、
この通過規制手段と前記投入口との間に設けられ、前記投入口から投入された券類を検出する投入検出手段と、
前記通過規制手段を通過した券類を取り込む取込手段と、
前記投入検出手段が券類を断続的に繰り返し検出したとき、前記取込手段の取り込み動作を停止させる制御手段と、
を具備することを特徴とする券類処理装置。
【請求項２】
券類を投入させる投入口と、
この投入口から投入された券類が重なった状態で通過することを規制する通過規制手段と、
この通過規制手段と前記投入口との間に設けられ、前記投入口から投入された券類を検出する投入検出手段と、
前記通過規制手段を通過した券類を取り込んだのち送り出す取込／送出手段と、
前記投入検出手段が投入された券類を断続的に繰り返し検出したとき、前記取込送出手段の取込動作を停止させる制御手段と、
を具備し、
前記通過規制手段は固定部材と、この固定部材に離間対向して正逆方向に回動する回動部材を有し、
前記回動部材は前記券類の投入時には、前記固定規制部材との間に券類を１枚だけ通過させる第１の隙間を形成し、前記券類の送出時には逆方向に回動して前記第１の隙間より広い第２の隙間を形成することを特徴とする券類処理装置。
【請求項３】
券類を投入させる投入口と、
この投入口から投入された券類が重なった状態で通過することを規制する通過規制手段と、
この通過規制手段と前記投入口との間に設けられ、前記投入口から投入された券類を検出する投入検出手段と、
前記通過規制手段を通過した券類を取り込んだのち送り出す取込／送出手段と、
前記投入検出手段が投入された券類を断続的に繰り返し検出したとき、前記取込送出手段の取込動作を停止させる制御手段と、
を具備し、
前記通過規制手段は固定部材と、この固定部材に離間対向して正逆方向に回動する回動部材を有し、
前記回動部材は前記券類の投入時には、前記固定規制部材との間に券類を１枚だけ通過させる第１の隙間を形成し、前記券類の送出時には逆方向に回動して前記第１の隙間より広い第２の隙間を形成し、
前記投入検出手段は、前記回動部材の回動中心からその回動端部までの距離をｒとしたとき、前記回動中心からの離間距離が前記距離ｒ以下になるように設置されたことを特徴とする券類処理装置。
【請求項４】
券類を投入させる投入口と、
この投入口から投入された券類が重なった状態で通過することを規制する通過規制手段と、
この通過規制手段と前記投入口との間に設けられ、前記投入口から投入された券類を検出する投入検出手段と、
前記通過規制手段を通過した券類を取り込んだのち送り出す取込／送出手段と、
この取込／送出手段によって取り込まれた券類を検出する取込検出手段と、
前記投入検出手段が券類を検出したのち、前記取込検出手段が券類を検出するまでに所定時間以上経過したとき、前記取込／送出手段の取込動作を停止させる制御手段と、
を具備し、
前記通過規制手段は固定部材と、この固定部材に離間対向して正逆方向に回動する回動部材を有し、
前記回動部材は前記券類の投入時には、前記固定規制部材との間に券類を１枚だけ通過させる第１の隙間を形成し、前記券類の送出時には逆方向に回動して前記第１の隙間より広い第２の隙間を形成し、
前記投入検出手段は、前記回動部材の回動中心からその回動端部までの距離をｒとしたとき、前記回動中心からの離間距離が前記距離ｒ以下になるように設置されたことを特徴とする券類処理装置。
【請求項５】
券類を投入させる投入口と、
この投入口から投入された券類が重なった状態で通過することを規制する通過規制手段と、
この通過規制手段と前記投入口との間に設けられ、前記投入口から投入された券類を検出する投入検出手段と、
前記通過規制手段を通過した券類を取り込んだのち送り出す取込／送出手段と、
前記投入検出手段から券類１枚分の長さよりも券類取込方向下流側に設けられ、取り込まれる券類を検出する券類検出手段と、
前記投入検出手段が投入された券類を断続的に繰り返し検出したとき、また、前記投入検出手段と券類検出手段とが同時に券類を検出したとき、前記取込／送出手段の取込動作を停止させたのち、券類を送り出させる制御手段と、
を具備することを特徴とする券類処理装置。
【請求項６】
券類を投入させる投入口と、
この投入口から投入された券類が重なった状態で通過することを規制する通過規制手段と、
この通過規制手段と前記投入口との間に設けられ、前記投入口から投入された券類を検出する投入検出手段と、
前記通過規制手段を通過した券類を取り込んだのち送り出す取込／送出手段と、
この取込／送出手段によって取り込まれた券類を検出する取込検出手段と、
前記投入検出手段から券類１枚分の長さよりも券類取込方向下流側に設けられ、取り込まれる券類を検出する券類検出手段と、
前記投入検出手段が券類を検出したのち、前記取込検出手段が券類を検出するまでに所定時間以上経過したとき、また、前記投入検出手段と券類検出手段とが同時に券類を検出したとき、前記取込／送出手段の取込動作を停止させたのち、券類を送り出させる制御手段と、
を具備することを特徴とする券類処理装置。
【請求項７】
券類を投入させる投入口と、
この投入口から投入された券類が重なった状態で通過することを規制する通過規制手段と、
この通過規制手段と前記投入口との間に設けられ、前記投入口から投入された券類を検出する投入検出手段と、
前記通過規制手段を通過した券類を取り込んだのち送り出す取込／送出手段と、
前記投入口から券類１枚分の長さよりも券類取込方向上流側に設けられ、取り込まれる券類を検出する券類検出手段と、
前記投入検出手段が投入された券類を断続的に繰り返し検出したとき、また、前記券類検出手段が所定時間以上継続して券類を検出したとき、前記取込／送出手段の取込動作を停止させたのち、券類を送り出させる制御手段と、
を具備したことを特徴とする券類処理装置。
【請求項８】
券類を投入させる投入口と、
この投入口から投入された券類が重なった状態で通過することを規制する通過規制手段と、
この通過規制手段と前記投入口との間に設けられ、前記投入口から投入された券類を検出する投入検出手段と、
前記通過規制手段を通過した券類を取り込んだのち送り出す取込／送出手段と、
この取込／送出手段によって取り込まれた券類を検出する取込検出手段と、
前記投入口から券類１枚分の長さよりも券類取込方向上流側に設けられ、取り込まれる券類を検出する券類検出手段と、
前記投入検出手段が券類を検出したのち、前記取込検出手段が券類を検出するまでに所定時間以上経過したとき、また、前記券類検出手段が券類を所定時間以上継続して検出したとき、前記取込／送出手段の取込動作を停止させたのち、券類を送り出させる制御手段と、
を具備することを特徴とする券類処理装置。
【発明の詳細な説明】
【０００１】
【発明の属する技術分野】
本発明は、たとえば、プリペイドカード等の券類を処理する券類処理装置に関する。
【０００２】
【従来の技術】
この種の券類処理装置はカードを投入させる投入口部を有し、この投入口部から投入された券類を内部に取り込む。内部に取り込まれたカードは印刷部へ送られて所定事項が印刷されたのち、磁気処理部へ送られて磁気処理される。この処理後、カードは逆送りされて投入口部から返却されるようになっている。
【０００３】
この券類処理装置では、カードを複数枚重ねた状態での投入を防止するため、カード１枚のみの通過を許可する隙間を形成する通過規制機構が設けられている。
【０００４】
投入口から１枚のみ投入されて通過規制機構を通過したカードは、投入センサにより検知され、この検知により、取込ローラが回転駆動されて内部に取り込まれる。
【０００５】
また、残額不足等により、カードが複数枚投入されることがあるため、処理後においては、取込ローラが逆回転されてカードを複数枚一括して返却できるようになっている。
【０００６】
カードの通過規制機構は、規制ねじと、この規制ねじに離間対向する回動自在な規制レバーとにより構成されている。規制ねじと規制レバーとの間にはカード１枚のみの通過を許可する隙間が形成されている。
【０００７】
カード投入時には、カードが２枚以上重ねた状態では、規制ねじと規制レバーとの間の隙間を通過することがない。
また、カード処理後に、カードを複数枚一括して返却するときは、規制レバーがカードに押されて送出方向に回動することにより、規制ねじとの間の隙間を広げてカードを通過させるようになっている。
【０００８】
ところで、カードを２枚以上重ねて投入すると、通過規制機構でカードの通過が規制されるため、ユーザは一旦、カードを投入口から抜き、再び投入しようとする（以下、抜き差し投入という）。
【０００９】
この抜き差し投入時において、カードを抜く際には、カードの下面により規制レバーが力を受けて反投入方向に回転し、カードが２枚以上重なった状態でも通過可能な隙間になってしまうことがある。
【００１０】
この状態で規制レバーが戻るよりも早く、再び、カードが投入された場合には、重なったまま通過規制機構の隙間を通過する。特に、２枚以上重なったカードを下側のカードを先にずらして投入した場合、抜き差し投入をすると、下側のカードは通過規制機構の隙間を通過するため、カードを抜く際に規制レバーに力をかけ続け、カードの通過が可能となる隙間が容易に形成されて通過してしまう。
【００１１】
【発明が解決しようとする課題】
しかしながら、従来においては、カードが重なった状態で通過規制機構を通過しても、判断することができず、カードを重なったまま取り込んでしまい処理不能になるという不都合があった。
【００１２】
本発明は上記実情に鑑みなされたもので、券類が投入口から重なった状態で投入された場合には、取込動作を停止させて、内部への取り込みを防止できるようにした券類処理装置を提供することを目的とする。
【００１３】
【課題を解決するための手段】
本発明は上記課題を解決するため、請求項１記載のものは、券類を投入させる投入口と、この投入口から投入された券類が重なった状態で通過することを規制する通過規制手段と、この通過規制手段と前記投入口との間に設けられ、前記投入口から投入された券類を検出する投入検出手段と、前記通過規制手段を通過した券類を取り込む取込手段と、前記投入検出手段が券類を断続的に繰り返し検出したとき、前記取込手段の取り込み動作を停止させる制御手段とを具備する。
【００１５】
請求項２記載のものは、券類を投入させる投入口と、この投入口から投入された券類が重なった状態で通過することを規制する通過規制手段と、この通過規制手段と前記投入口との間に設けられ、前記投入口から投入された券類を検出する投入検出手段と、前記通過規制手段を通過した券類を取り込んだのち送り出す取込／送出手段と、前記投入検出手段が投入された券類を断続的に繰り返し検出したとき、前記取込送出手段の取込動作を停止させる制御手段とを具備し、前記通過規制手段は固定部材と、この固定部材に離間対向して正逆方向に回動する回動部材を有し、前記回動部材は前記券類の投入時には、前記固定規制部材との間に券類を１枚だけ通過させる第１の隙間を形成し、前記券類の送出時には逆方向に回動して前記第１の隙間より広い第２の隙間を形成する。
【００１７】
請求項３記載のものは、券類を投入させる投入口と、この投入口から投入された券類が重なった状態で通過することを規制する通過規制手段と、この通過規制手段と前記投入口との間に設けられ、前記投入口から投入された券類を検出する投入検出手段と、前記通過規制手段を通過した券類を取り込んだのち送り出す取込／送出手段と、前記投入検出手段が投入された券類を断続的に繰り返し検出したとき、前記取込送出手段の取込動作を停止させる制御手段とを具備し、前記通過規制手段は固定部材と、この固定部材に離間対向して正逆方向に回動する回動部材を有し、前記回動部材は前記券類の投入時には、前記固定規制部材との間に券類を１枚だけ通過させる第１の隙間を形成し、前記券類の送出時には逆方向に回動して前記第１の隙間より広い第２の隙間を形成し、前記投入検出手段は、前記回動部材の回動中心からその回動端部までの距離をｒとしたとき、前記回動中心からの離間距離が前記距離ｒ以下になるように設置する。
【００１８】
請求項４記載のものは、券類を投入させる投入口と、この投入口から投入された券類が重なった状態で通過することを規制する通過規制手段と、この通過規制手段と前記投入口との間に設けられ、前記投入口から投入された券類を検出する投入検出手段と、前記通過規制手段を通過した券類を取り込んだのち送り出す取込／送出手段と、この取込／送出手段によって取り込まれた券類を検出する取込検出手段と、前記投入検出手段が券類を検出したのち、前記取込検出手段が券類を検出するまでに所定時間以上経過したとき、前記取込／送出手段の取込動作を停止させる制御手段とを具備し、前記通過規制手段は固定部材と、この固定部材に離間対向して正逆方向に回動する回動部材を有し、前記回動部材は前記券類の投入時には、前記固定規制部材との間に券類を１枚だけ通過させる第１の隙間を形成し、前記券類の送出時には逆方向に回動して前記第１の隙間より広い第２の隙間を形成し、前記投入検出手段は、前記回動部材の回動中心からその回動端部までの距離をｒとしたとき、前記回動中心からの離間距離が前記距離ｒ以下になるように設置される。
【００１９】
請求項５記載のものは、券類を投入させる投入口と、この投入口から投入された券類が重なった状態で通過することを規制する通過規制手段と、この通過規制手段と前記投入口との間に設けられ、前記投入口から投入された券類を検出する投入検出手段と、前記通過規制手段を通過した券類を取り込んだのち送り出す取込／送出手段と、前記投入検出手段から券類１枚分の長さよりも券類取込方向下流側に設けられ、取り込まれる券類を検出する券類検出手段と、前記投入検出手段が投入された券類を断続的に繰り返し検出したとき、また、前記投入検出手段と券類検出手段とが同時に券類を検出したとき、前記取込／送出手段の取込動作を停止させたのち、券類を送り出させる制御手段とを具備する。
【００２０】
請求項６記載のものは、券類を投入させる投入口と、この投入口から投入された券類が重なった状態で通過することを規制する通過規制手段と、この通過規制手段と前記投入口との間に設けられ、前記投入口から投入された券類を検出する投入検出手段と、前記通過規制手段を通過した券類を取り込んだのち送り出す取込／送出手段と、この取込／送出手段によって取り込まれた券類を検出する取込検出手段と、前記投入検出手段から券類１枚分の長さよりも券類取込方向下流側に設けられ、取り込まれる券類を検出する券類検出手段と、前記投入検出手段が券類を検出したのち、前記取込検出手段が券類を検出するまでに所定時間以上経過したとき、また、前記投入検出手段と券類検出手段とが同時に券類を検出したとき、前記取込／送出手段の取込動作を停止させたのち、券類を送り出させる制御手段とを具備する。
【００２１】
請求項７記載のものは、券類を投入させる投入口と、この投入口から投入された券類が重なった状態で通過することを規制する通過規制手段と、この通過規制手段と前記投入口との間に設けられ、前記投入口から投入された券類を検出する投入検出手段と、前記通過規制手段を通過した券類を取り込んだのち送り出す取込／送出手段と、前記投入口から券類１枚分の長さよりも券類取込方向上流側に設けられ、取り込まれる券類を検出する券類検出手段と、前記投入検出手段が投入された券類を断続的に繰り返し検出したとき、また、前記券類検出手段が所定時間以上継続して券類を検出したとき、前記取込／送出手段の取込動作を停止させたのち、券類を送り出させる制御手段とを具備した。
【００２２】
請求項８記載のものは、券類を投入させる投入口と、この投入口から投入された券類が重なった状態で通過することを規制する通過規制手段と、この通過規制手段と前記投入口との間に設けられ、前記投入口から投入された券類を検出する投入検出手段と、前記通過規制手段を通過した券類を取り込んだのち送り出す取込／送出手段と、この取込／送出手段によって取り込まれた券類を検出する取込検出手段と、前記投入口から券類１枚分の長さよりも券類取込方向上流側に設けられ、取り込まれる券類を検出する券類検出手段と、前記投入検出手段が券類を検出したのち、前記取込検出手段が券類を検出するまでに所定時間以上経過したとき、また、前記券類検出手段が券類を所定時間以上継続して検出したとき、前記取込／送出手段の取込動作を停止させたのち、券類を送り出させる制御手段とを具備する。
【００２３】
本発明は投入検出手段が券類を断続的に繰り返し検出したときは、取込手段の取込動作を停止させることにより、重なった状態で券類を装置内部に取り込むことを防止できるようにする。
【００２４】
また、投入検出手段が券類を検出したのち、取込検出手段が券類を検出するまでに所定時間以上経過したときは、取込手段の取込動作を停止させることにより、重なった状態で券類を装置内部に取り込むことを防止できるようにする。
【００２５】
また、投入検出手段から券類１枚分の長さよりも券類取り込み方向下流側に券類検出手段を設け、投入検出手段と券類検出手段とが同時に券類を検出したときは、取り込み動作を停止させることにより、隙間なく連続的に投入される複数枚の券類を装置内部へ取り込むことを防止できるようにする。
【００２６】
さらに、投入口から券類１枚分の長さよりも券類取り込み方向上流側に券類検出手段を設け、この券類検出手段が所定時間以上連続して券類を検出したときは、取り込み動作を停止させることにより、隙間なく連続的に投入される複数枚の券類を装置内部に取り込むことを防止できるようにする。
【００２７】
【発明の実施の形態】
以下、本発明を図面に示す一実施の形態を参照して説明する。
図１は、券類処理装置を示す概略的構成図である。
図中１は装置本体で、この装置本体１の前面部には、券類としてのプリペードカード（以下、カードという）を投入させる投入口２が設けられている。投入口２から投入されたカードは搬送路３に沿って搬送される。
【００２８】
搬送路３中にはカードの搬送方向に亘って、カード投入時における重なった状態でのカードの通過を規制する通過規制手段としての厚さ規制機構４、この厚さ規制機構４を通過したカードを取り込む取込ローラ対５、カードの返却を保留する返却保留部６、カードに情報を印刷する印刷部７、カードに情報を磁気処理する磁気処理部８、及びカードを保留する保留部９が順次、配置されている。
【００２９】
図２は、厚さ規制機構４を示す詳細図である。
この厚さ規制機構４はカードの投入時にはカード１枚のみの投入を許容し、カードの返却時には複数枚重なった状態での返却を許容するものである。
【００３０】
厚さ規制機構４は、固定部材としての規制ねじ１１と回動部材としての規制レバー１２とからなる。規制レバー１２は軸１３に回動自在に取り付けられ、その回動端部は規制ねじ１１の下端部に所定寸法の隙間Ｓ（カード１枚分の厚さ寸法に対応）を存して設けられている。また、規制レバー１２は引張りバネ１４により時計方向に回動するように付勢されている。この付勢力により、規制レバー１２は係止板１５に当接し、その回動端部を規制ねじ１１の下端部に離間対向させている。
【００３１】
カードＫが投入口２から挿入されると、カードＫの先端は規制レバー１２を時計方向に押圧する。規制レバー１２は係止板１５により時計方向の回転が規制されているため、カードＫにより押圧されても、図示の規制位置に保持される。このため、カード挿入時には、１枚のカードＫのみの通過が許容され、２枚以上のカードＫを重ねて投入した場合には、カードＫの先端が規制ねじ１１および規制レバー１２に衝突して挿入が規制されるようになっている。
【００３２】
また、厚さ規制機構４のカード導入側にはカードを光学的に検出する投入検出手段としての投入センサ１７が設けられている。厚さ規制機構４と取込ローラ対５との間には搬送路３を開閉するシャッタ１８が設けられている。取込ローラ対５のカード排出側には取り込まれたカードを検出する取込検出手段としての取込センサ１９が設けられている。
【００３３】
図３はシャッタ１８、取込ローラ対５の駆動制御系を示すブロック図である。投入センサ１７は制御手段としての制御部２１に信号路２２を介して接続され、制御部２１は制御回路２３を介してシャッタ１８の駆動部２４および、取込ローラ対５の駆動部２５に接続されている。
【００３４】
制御部２１は投入センサ１７がカードを検出すると、シャッタ駆動部２４、取込ローラ対駆動部２５を駆動させてシャッタ１８を開放するとともに、取込ローラ対５を正方向（図２に示す実線矢印方向）に回転させるようになっている。
【００３５】
また、制御部２１は投入センサ１７がカードを断続的に繰り返し検出したときは、取込ローラ対５の回転を停止させ、さらに、投入センサ１７が一定時間以上継続してカードＫがあることを検出した場合には、取込ローラ対駆動部２５を逆方向に回転させるようになっている。
【００３６】
図４はカードＫが１枚投入される状態を示すものである。
購入客がカードＫを１枚投入した場合、カードＫは投入センサ１７で検知されて厚さ規制機構４の隙間Ｓを通過する。投入センサ１７の検知により、投入口シャッタ１８が開放されるとともに、取込ローラ５が駆動されてカードＫが取り込まれる（以下、取込動作という）。
【００３７】
このカードＫの取り込み動作に入って、投入センサ１７が一定時間以上カードＫがあることを検出した場合には、制御部２１はカードＫが取り込むことができないと判断し、取込ローラ１９を逆回転させてカードＫを投入口２に排出する（以下、排出動作という）。
【００３８】
図５は購入客が２枚以上のカードＫを重ねて投入した場合を示す。
この場合には、カードＫが規制ねじ１１と規制レバー１２に当接して通過できない。
【００３９】
このため、顧客はカードＫを一旦、抜き、再び投入しようとする（以下、抜き差し投入という）。このカードＫを抜くときにカードＫの下面により規制レバー１２が反時計方向に力を受けて回転して隙間（第１の隙間）Ｓが広がり、カードＫが２枚以上重ねて通過する隙間（第２の隙間）になる場合がある。
【００４０】
この状態で、規制レバー１２が引張りばね１４の付勢力により時計方向に戻るよりも早く、再び、カードＫが投入された場合、重ねたカードＫが厚さ規制機構４の隙間を通過し、装置内に取り込まれてしまう。
【００４１】
しかしながら、このときには、投入センサ１７によりカードＫの有る無しが短時間に繰り返し検出される。この検出があったときは、制御部２１はカードＫの抜き差し投入があったと判断し、カードＫの取込ローラ対５の回転を停止させる。
【００４２】
したがって、カードＫの抜き差し投入により２枚以上重ねたカードＫが厚さ規制機構４を通過しても内部に取り込まれることは防止される。
なお、確実にカードＫの重ね投入を防止するためには、投入センサ１７と厚さ規制機構４の隙間Ｓの位置関係が問題となる。
【００４３】
カードＫの端面を揃えて投入した場合に、投入センサ１７によりカードＫの有る無しが短時間に繰り返し変化するのを検出するためには、規制レバー１２の回転中心から厚さ規制機構の隙間Ｓを構成する先端までの距離をｒとすると、投入センサ１７が厚さ規制機構１１の隙間Ｓから投入口２側に０以上ｒ以下の距離にあることが必要である。
【００４４】
０とは重ねたカードＫの先端が隙間Ｓで停止する位置、すなわち、投入センサ１１が検知無しになり続けない位置であり、ｒとはカードＫにより規制レバー１２の回転中心と先端を結ぶ線が９０°回転し、規制レバー１２先端により構成される隙間Ｓが一番広くなることがある位置である。
【００４５】
図６は、上側のカードＫに対して下側のカードＫが先にずれて重なった状態で投入された場合を示す。
この場合には、下側のカードＫは厚さ規制機構４の隙間Ｓを通過し、上側のカードＫが規制ねじ１１に衝突したのちに、先端が隙間Ｓを通過している下側のカードＫにより規制レバー１２に下方向に力が加えられる。
【００４６】
このため、規制レバー１２が反時計方向に回転し、カードＫが２枚以上通過する隙間に広がり、装置内に取り込まれる場合がある。
そこで、この実施の形態では、下側のカードＫが投入センサ１７で検知されてから取込センサ１９で検知されるまでの時間により、カードＫが２枚以上投入されたと判断する。
【００４７】
すなわち、カードＫが端面をずらして投入された場合には、１枚のカードＫを投入するよりも、重ねた下側のカードＫが規制レバー１２を押し下げて回転させる分だけ投入するのに時間がかかるため、投入センサ１７で検知されてから取込センサ１９で検知されるまでの時間が長くなる。
【００４８】
このように検知時間が長くなった場合には、カードＫが２枚以上投入されたと判断し、カードＫの取り込み動作を停止させ、内部に取り込まれるのを防止する。
【００４９】
図７は本発明の第２の実施の形態を示すものである。
購入客がカードＫを２枚隙間なく連続して投入した場合、カードＫが２枚であると検出できずに、装置内に取り込んでしまう。
【００５０】
そこで、この実施の形態では、投入センサ１７からカード１枚の長さより少し長い距離、カードの取込方向下流側に券類検出手段としての検出センサ３１を配置し、投入センサ１７と検出センサ３１が同時にカードＫがあることを検出した場合には、制御部２１（図３に示す）はカードが２枚取りされたと判断し、カードＫの取込動作を停止するとともに、カードＫの投入口２への排出動作を行うことにより、装置内部への取り込みを防止する。
【００５１】
図８は本発明の第３の実施の形態を示すものである。
購入客がカードＫを持ったままでカードＫの先端が投入口２から入る位置、すなわち、投入口２からカード１枚分の長さよりも先の位置に券類検出手段としての検出センサ３２を配置し、制御部２１（図３に示す）により、カードが検出センサ３２で検知されてから検知されなくなるまでの時間をカード１枚分の長さを搬送するのに必要な時間と比較する。これにより、２枚のカードが隙間なく並べて投入されたか、長さが所定寸法より長いカードが投入されたのかを判断し、この場合には、カードの取り込み動作を停止するとともに、排出動作を行うことにより、装置内部への取り込みを防止する。
【００５２】
【発明の効果】
本発明は以上説明したように、投入検出手段を通過規制手段と投入口との間に配置し、前記投入検出手段が券類を断続的に繰り返し検出したときは、取込手段の取込動作を停止させるから、重なった状態で券類を装置内部に取り込むことがなく、誤動作の発生を未然に防止できる。
【００５３】
また、投入検出手段が券類を検出したのち、取込検出手段が券類を検出するまでに所定時間以上経過したときは、取込手段の取込動作を停止させるから、重なった状態で券類を装置内部に取り込むことがなく、誤動作の発生を未然に防止できる。
【００５４】
また、投入検出手段から券類１枚分の長さよりも券類取り込み方向下流側に券類検出手段を設け、投入検出手段と券類検出手段とが同時に券類を検出したときは、取込手段の取り込み動作を停止させるから、隙間なく連続的に投入される券類或いは所定寸法以上長い券類を装置内部へ取り込んでしまうことはなく、誤動作の発生を未然に防止できる。
【００５５】
さらに、投入口から券類１枚分の長さよりも券類取り込み方向上流側に券類検出手段を設け、この券類検出手段が所定時間以上連続して券類を検出したときは、取込手段の取り込み動作を停止させるから、隙間なく連続的に投入される券類或いは所定寸法より長い券類を装置内部に取り込むことがなく、誤動作の発生を未然に防止できる。
【図面の簡単な説明】
【図１】本発明の一実施の形態である券類処理装置を示す概略的構成図。
【図２】厚さ規制機構を示す構成図。
【図３】カードの取込機構の駆動制御系を示すブロック図。
【図４】カードが一枚投入された状態を示す図。
【図５】２枚のカードがその券端を揃えて投入された状態を示す図。
【図６】２枚のカードがその券端をずらせて投入された状態を示す図。
【図７】本発明の第２の実施の形態を示す図。
【図８】本発明の第３の実施の形態を示す図。
【符号の説明】
Ｋ…カード（券類）
２…投入口
４…厚さ規制機構（通過規制手段）
５…取込ローラ（取込手段／送出手段）
１１…規定ねじ（固定部材）
１２…規制レバー（回動部材）
Ｓ…隙間
１７…投入センサ（投入検出手段）
１９…取込センサ（取込検出手段）
２１…制御部（制御手段）
３１…検出センサ（券類検出手段）
３２…検出センサ（券類検出手段）
【図１】
0003913853.tif 000002
【図２】
0003913853.tif 000003
【図３】
0003913853.tif 000004
【図４】
0003913853.tif 000005
【図５】
0003913853.tif 000006
【図６】
0003913853.tif 000007
【図７】
0003913853.tif 000008
【図８】
0003913853.tif 000009